(57)【要約】【課題】  手間をかけず簡単に保冷、保温用として使用でき、しかも結露で手や載置台を濡らすこともなく、長時間に亘って保冷、保温ができると共にピッチャ−は冷茶用、ポット本体は温茶用として同時に使用できて多機能的に利用することができる。【解決手段】  一重壁でキャップ２を備えたピッチャ−１と、真空二重壁で口元に肩部材３を固定し、肩部材３の中央広口５をピッチャ−１胴部が挿入できる大きさにしたポット本体４と、このポット本体の中央広口５に着脱自在に装着する中栓蓋６とを有する保冷、保温用飲料容器Ａであって、上記飲料水を入れたピッチャ−１をピッチャ−口元にキャップ２ごと、中栓蓋６を外したポット本体４内に装填し、このピッチャ−１をポット本体４の肩部材３に固定保持し、肩部材３の中央広口５をピッチャ−１のキャップ２にて閉鎖する構成としている。【選択図】   図１
2015144696.tif 000002
【特許請求の範囲】
【請求項１】
一重壁でキャップ（２）を備えたピッチャ−（１）と、真空二重壁で口元に肩部材（３）を固定し、肩部材（３）の中央広口（５）をピッチャ−（１）胴部が挿入できる大きさにしたポット本体（４）と、このポット本体（４）の中央広口（５）に着脱自在に装着する中栓蓋（６）とを有する保冷、保温用飲料容器（Ａ）であって、上記飲料水を入れたピッチャ−（１）をピッチャ−口元にキャップ（２）ごと、中栓蓋（６）を外したポット本体（４）内に装填し、このピッチャ−（１）をポット本体（４）の肩部材（３）に固定保持し、肩部材（３）の中央広口（５）をピッチャ−（１）のキャップ（２）にて閉鎖することを特徴とした保冷、保温用飲料容器。
【発明の詳細な説明】
【技術分野】
【０００１】
本発明は、保冷飲料用、又は保温飲料用として多機能的に変化可能に使用できる保冷、保温用飲料容器に関するものである。
【背景技術】
【０００２】
一般に、保冷飲料容器としては、蓋付きのピッチャ−（水差し）が存在し、保温飲料容器としては、真空二重壁の魔法瓶（ポット）等が別々に存在している。
これ等両者の繋がりは全くなく、それぞれ個別に扱われてきた。そして、夏場等は、この飲料水の入ったピッチャ−（水差し）を冷蔵庫のドアポケット内に収納して、十分冷ました後に、テーブル等に載置して飲料の供給にあたっていた。又、魔法瓶（ポット）は、特に冬場、熱い飲料水を魔法瓶（ポット）内に入れ長時間保温可能としていた。
【０００３】
しかしながら、このような上述のピッチャ−（水差し）では、冷たい飲料水がわずかな時間で温くなって、飲み心地悪く飲めなくなっていた。そこでこのピッチャ−（水差し）の本体を二重壁とし、この二重壁間に発泡材を充填し、保温効果を高めようとした構造のものが、実用新案登録第３１６３０９３号公報（特許文献１、図３参照）として存在する。
【先行技術文献】
【特許文献】
【０００４】
【特許文献１】実用新案登録第３１６３０９３号公報（特許文献１、図３参照）
【発明の概要】
【発明が解決しようとする課題】
【０００５】
ところが、このようなピッチャ−（水差し）では、内容器１０と外容器２との間にウレタンフォーム等の発泡材３を充填した断熱二重壁構造の容器本体１を備えており、容器本体１の開口部上縁の前方に注ぎ口１４を設け、後方壁に把手５を設け、開口部に蓋体２０を上方より差し込んでいるにすぎません。
【０００６】
そのために、このまま冷蔵庫に入れようとしても、嵩張り、しかも入っても容器本体内の飲料水を直接冷やすことができないために、一旦別の一重容器内に飲料水を入れて冷蔵庫等で冷やした後に、この別の一重容器内より断熱二重壁構造の容器本体内に入れ替えて利用することとなって、非常に手間がかかるという問題点があった。
【０００７】
又、この冷蔵庫内にこの容器本体が入って冷やそうとしても、取り出した際に、表面壁に結露が付着し、手や冷やした容器本体を載置するテーブル等を濡らしてしまうという問題点があった。更に、この容器本体では、口元の開口部が広く、保冷するにしても、又保温するにしても、急速に暖めやすく、又冷めやすく長時間の使用が難しいという問題点があった。
【課題を解決するための手段】
【０００８】
本発明は、一重壁でキャップ２を備えたピッチャ−１と、真空二重壁で口元に肩部材３を固定し、肩部材３の中央広口５をピッチャ−１胴部が挿入できる大きさにしたポット本体４と、このポット本体の中央広口５に着脱自在に装着する中栓蓋６とを有する保冷、保温用飲料容器Ａであって、上記飲料水を入れたピッチャ−１をピッチャ−口元にキャップ２ごと、中栓蓋６を外したポット本体４内に装填し、このピッチャ−１をポット本体４の肩部材３に固定保持し、肩部材３の中央広口５をピッチャ−１のキャップ２にて閉鎖する構成としている。
【発明の効果】
【０００９】
本発明は、従来の問題点を解決したものであって、手間をかけず簡単に保冷、保温用として使用でき、しかも結露で手や載置台を濡らすこともなく、長時間に亘って保冷、保温ができると共にピッチャ−は冷茶用、ポット本体は温茶用として同時に使用できて多機能的に利用することができる保冷、保温用飲料容器を提供するにある。
【図面の簡単な説明】
【００１０】
【図１】本発明実施例の使用状態を示す斜視図。
【図２】本発明実施例の分解斜視図。
【図３】本発明他実施例のピッチャ−をポット本体に挿入した状態を示す斜視図。
【図４】本発明他実施例のポット本体に中栓蓋をした状態を示す斜視図。
【図５】図３の前後方向の縦断面図。
【図６】図３の左右方向の縦断面図。
【図７】図６のア部分を示す拡大図。
【発明を実施するための形態】
【００１１】
保冷、保温用飲料容器Ａは、有底筒状の一重壁でキャップ２を備えたピッチャ−１と、有底筒状の真空二重壁で口元に肩部材３を装着したポット本体４と、肩部材３の中央広口５に螺着する中栓蓋６とから構成している。
【００１２】
ピッチャ−１は、合成樹脂材料にて図２に示すように、一重壁の有底筒状で、口元に肩部７を一体成形しており、冷蔵庫のドアポケットに入る大きさの胴径となっている。この肩部７は、口元を形成する内周壁内側にキャップ用雌ネジ８を刻設し、内周壁の上端に外側に向けて延びた環状のフランジ部９を突設している。このキャップ用雌ネジ８は、全周ネジであっても又部分ネジであってもどちらでもよい。
【００１３】
このピッチャ−１のフランジ部９は、前方に延びて口元と連通のピッチャ−用注ぎ口１０を設け、左右両側の対角線上に、後述のポット本体４の保持止具２４を固定する保持受具１１，１１をそれぞれ設けている。この各保持受具１１は、図２に示すように、肩部７の左右両側よりそれぞれ外側に向けてほぼ水平に延びている。
【００１４】
ピッチャ−１のキャップ２は、図２に示すように、円盤上の天板１２と、この天板の内側で下方に延びた環状の周側壁１３と、天板の上端に上方に突出した把手１４とを合成樹脂材料にて一体的に形成している。
１７は、キャップの天板１２と環状の周側壁１３との間に挟み込まれるキャップ用シールパッキンである。
【００１５】
このキャップ２の周側壁１３の外側壁には、上述のキャップ用雌ネジ８を螺着するキャップ用雄ネジ１５が刻設されており、前面壁には、ピッチャ−用注ぎ口１０とピッチャ−１内とを連通するための連通口１６が備えられている。このキャップ用雄ネジ１５は、キャップ用雌ネジ８に合わせて全周ネジであっても又部分ネジであってもどちらでもよい。
【００１６】
飲料水を入れたピッチャ−１は、キャップ２を肩部７に螺着し、キャップの連通口１６をピッチャ−用注ぎ口１０と合わせることなく装着すれば、このまま冷蔵庫のドアポケットに納めて冷やすことができる。勿論、冷やしたピッチャ−１は、胴体表面に結露を発生させるが、把手１４を持って後述のポット本体４内に納めれば、ピッチャ−の胴体表面を手で触ることもなく、又載置台へ置く必要もないので、手や載置台を濡らすこともない。
【００１７】
このピッチャ−１より冷たい飲料水を飲むには、キャップ２を回してキャップの連通口１６を移動させ、ピッチャ−用注ぎ口１０と合わせれば、ピッチャ−を傾けるだけで注ぐことができる。
【００１８】
ポット本体４は、ステンレス等の金属製材料にて有底筒状に形成された内筒と、この内筒と所定の間隔を隔てて囲んだ外筒とからなっており、この内筒、外筒共に口元中央に向かって絞り込み、垂直の壁を設けた後に、その上端の内筒、外筒を溶接接合して口元とし、この内筒と外筒との間を真空引きしている。口元を形成する外筒の外周壁には、肩部材３を螺着する本体用雄ネジ１８を刻設している。このポット本体４の口元には、肩部材３を装着している。
【００１９】
ポット本体４の肩部材３には、ポット本体の本体用雄ネジ１８に螺着する本体用雌ネジ１９を内側に備えた環状の外周側壁３ａと、この外周側壁との間に隙間を設けて隔たり、かつ肩部材の中央広口５を形成する環状の内周側壁３ｂと、この内周側壁と外周側壁とを上端で繋ぐ天壁とからなっている。この肩部材の中央広口５には、ポット本体４の内筒の内径とほぼ同じ大きさか若干大きい大きさに形成されている。
【００２０】
この肩部材３の内周側壁３ｂの内側面には、後述の中栓蓋６を螺着する中栓蓋用雌ネジ３２が刻設されている。この中栓蓋用雌ネジ３２は、全周ネジでも、部分ネジであってもよい。肩部材３の内周側壁３ｂの前面側には、中央広口５と連通して前方へ延びた本体用注ぎ口２０が設けられ、この本体用注ぎ口が図５に示すように、外周側壁３ａの前面側にも延びている。
【００２１】
又、肩部材の外周側壁３ａの後面側には、大きく下方に延びた本体用把手２１が一体的に形成されている。２２は、本体用把手２１の下側をポット本体４に連結固定する連結具である。
２３は、本体用シールパッキンで、この本体用シールパッキンは、肩部材の内周側壁３ｂと外周側壁３ａとの間で天壁の下面とポット本体４の口元との間に張設されている。
【００２２】
肩部材の外周側壁３ａの左右両側には、間隔を隔てて外周側壁に一体的に形成された二つの支え２６，２６がそれぞれ突出されている。この二つの支え２６，２６間には、図１及び図２に示すように、それぞれ同一形状の保持止具２４，２４が配設されている。この各保持止具２４は、上下回動自在のフック２５と、このフックを二つの支え２６，２６間に自在に装着するピン２７とからなっている。この各フック２５は、二つの支え２６，２６間に支えられながら、このフックに設けた中央中空内にピッチャ−１の保持受具１１を挿入して、肩部材の左右両側よりピッチャ−１を固定保持するようにしている。
【００２３】
肩部材の中央広口５に着脱自在に装着する中栓蓋６は、図２に示すように、深皿状の蓋本体２８と、この蓋本体の上端を閉鎖する上蓋体２９と、この蓋本体と上蓋体との間に装填された断熱材３０と、蓋本体２８上方外側に張設される中栓蓋用シールパッキン３１とからなっている。
【００２４】
このように飲料水を入れ、キャップ２をしたピッチャ−１が冷蔵庫のドアポケットに入れられて冷やされる。この冷やされたピッチャ−は、表面が結露されるので、ピッチャ−の胴体を持たず、把手１４を持って、図１に示すように、ポット本体４の肩部材３の中央広口５よりポット本体内に挿入した後、肩部材３の保持止具２４であるフック２５を回動してピッチャ−の保持受具１１をこのフック２５内に納めて固定保持される。
【００２５】
そして、図３に示すように、結露に触れることなく、持ち運びでき、しかも長時間保冷することができると共に冷たい飲料水を飲むことができ、このピッチャ−内の飲料水を飲んでる間、もう一つの飲料水の入ったピッチャ−を冷蔵庫のドアポケットで冷やしておけば、二つのピッチャ−を交代で飲むことができてより効果的である。又、ピッチャ−内には、冷茶を入れ、ポット本体内には、温茶を入れて中栓蓋６をすると手間をかけずに同時に保冷用、保温用として併用して使用できて多機能的に利用することができる。
【００２６】
以上本発明の代表的と思われる実施例について説明したが、本発明は必ずしもこれら実施例構造のみに限定されるものではなく、本発明にいう前記の構成要件を備え、かつ、本発明にいう目的を達成し、本発明にいう効果を有する範囲内において適宜改変して実施することができるものである。
【符号の説明】
【００２７】
Ａ…保冷、保温飲料容器
１…ピッチャ−
２…キャップ
３…肩部材
３ａ…外周側壁
３ｂ…内周側壁
４…ポット本体
５…中央広口
６…中栓蓋
９…フランジ部
１０…ピッチャ−用注ぎ口
１１，１１…保持受具
１４…把手
２０…本体用注ぎ口
２１…本体用把手
２４，２４…保持止具
２５，２５…フック
【図１】
2015144696.tif 000003
【図２】
2015144696.tif 000004
【図３】
2015144696.tif 000005
【図４】
2015144696.tif 000006
【図５】
2015144696.tif 000007
【図６】
2015144696.tif 000008
【図７】
2015144696.tif 000009